(57)【要約】【課題】１台の圧縮機に複数の蒸発器が並列接続された冷凍装置において、圧縮機の吸入管の圧力損失を抑制しつつ、各蒸発器で異温度蒸発を行う。【解決手段】冷凍装置（1）は、空調熱交換器（53）とショーケース冷却用の冷蔵熱交換器（43）と室外熱交換器（13）と主圧縮機（11）とを備える。冷房冷却運転時には、主圧縮機（11）から吐出して室外熱交換器（13）で凝縮した冷媒の一部が冷蔵熱交換器（43）で蒸発し、第１吸入管（71）を流れて低圧ポート（11a）から主圧縮機（11）に吸入され、残りの冷媒が空調熱交換器（53）で蒸発し、第２吸入管（72）を流れて中間圧ポート（11b）から主圧縮機（11）に吸入される。吸入管（71,72）に高圧液冷媒を供給する液インジェクション管（67,68）が接続され、第１流量制御部（101）が、吸入管（71,72）の液冷媒供給量を制御する。【選択図】図７
2008002711.tif 000002
【特許請求の範囲】
【請求項１】
１台の圧縮機（11）に対して蒸発圧力が異なる複数台の蒸発器（43,53）が互いに並列接続された蒸気圧縮式冷凍サイクルの冷媒回路（10）を備えた冷凍装置であって、
上記圧縮機（11）には、上記複数台の蒸発器（43,53）のそれぞれに対応し、該各蒸発器（43,53）で蒸発した冷媒が各吸入管（71,72）を介して吸入される複数の吸入ポート（11a,11b）が設けられる一方、
上記各吸入管（71,72）には、該各吸入管（71,72）に上記冷媒回路（10）の高圧冷媒の一部を供給量可変に供給するインジェクション通路（67,68,98,99）が接続され、
上記各蒸発器（43,53）の蒸発圧力に基づいて、上記インジェクション通路（67,68,98,99）から上記吸入管（71,72）への高圧冷媒の供給量を制御する第１流量制御手段（101）を備えている
ことを特徴とする冷凍装置。
【請求項２】
請求項１において、
上記インジェクション通路（67,68,98,99）は、上記冷媒回路（10）の高圧の液冷媒が流れる液配管（82）と上記各吸入管（71,72）とに接続された液インジェクション管（67,68）である
ことを特徴とする冷凍装置。
【請求項３】
請求項１又は２において、
上記インジェクション通路（67,68,98,99）は、上記圧縮機（11）から吐出されたガス冷媒が流れる吐出管（74）と上記各吸入管（71,72）とに接続されたガスインジェクション管（98,99）である
ことを特徴とする冷凍装置。
【請求項４】
請求項１〜３の何れか１項において、
上記圧縮機（11）は、運転容量可変に構成され、
上記複数の蒸発器（43,53）のうちの所定の第１蒸発器（43,53）の冷却負荷に基づいて、上記圧縮機（11）の運転容量を制御する容量制御手段（102）を備えている
ことを特徴とする冷凍装置。
【請求項５】
１台の運転容量可変な圧縮機（11）に対して減圧度調整自在な膨張機構（48,54）と蒸発器（43,53）とを備える複数の利用側ユニットが互いに並列接続された蒸気圧縮式冷凍サイクルの冷媒回路（10）を備え、上記各蒸発器（43,53）において冷媒が異なる蒸発圧力で蒸発する冷凍装置であって、
上記圧縮機（11）には、上記各蒸発器（43,53）に対応して吸入圧力が異なり、該各蒸発器（43,53）で蒸発した冷媒が各吸入管（71,72）を介して吸入される複数の吸入ポート（11a,11b）が設けられる一方、
上記各蒸発器（43,53）のうちの所定の第１蒸発器（43,53）の冷却負荷に基づいて、上記圧縮機（11）の運転容量を制御する容量制御手段（102）と、
上記第１蒸発器（43,53）以外の第２蒸発器（53,43）の蒸発圧力に基づいて、上記第２蒸発器（53,43）に対応した膨張機構（54,48）の冷媒流量を制御する第２流量制御手段（103）とを備えている
ことを特徴とする冷凍装置。
【請求項６】
請求項１〜５の何れか１項において、
上記圧縮機（11）の複数の吸入ポート（11a,11b）は、該圧縮機（11）の圧縮室の低圧に通じる低圧ポート（11a）と該圧縮室における圧縮途中に通じる中間圧ポート（11b）とを備えている
ことを特徴とする冷凍装置。
【発明の詳細な説明】
【技術分野】
【０００１】
本発明は、１台の圧縮機に対して蒸発圧力の異なる複数の蒸発器が接続された冷凍装置に関するものである。
【背景技術】
【０００２】
従来より、冷凍サイクルを行う冷凍装置には、１台の圧縮機に対して蒸発圧力の異なる複数の利用側の蒸発器が並列に接続されたものがある（例えば、特許文献１）。
【０００３】
特許文献１の冷凍装置は、室外ユニットと室内ユニットと冷蔵ユニットと冷凍ユニットとを備えている。上記室内ユニットには、室内膨張弁と室内の冷暖房を行う室内熱交換器が設けられ、上記冷蔵ユニットには、冷蔵膨張弁と冷蔵ショーケースの冷却を行う冷蔵熱交換器とが設けられ、上記冷凍ユニットには、冷凍膨張弁と冷凍ショーケースの冷却を行う冷凍熱交換器とブースタ圧縮機とが設けられている。上記室外ユニットには、インバータ圧縮機と室外熱交換器とが設けられ、インバータ圧縮機の吸入管は、三方切換弁の第１ポートに接続されている。
【０００４】
室内の冷房運転及び冷凍・冷蔵ショーケースの冷却運転を行う際は、インバータ圧縮機から吐出した冷媒が、室外熱交換器で室外空気に放熱して凝縮液化し、この液化した冷媒は、冷蔵・冷凍ユニットに接続される第１連絡液管と室内ユニットに接続される第２連絡液管とに分配される。第１連絡液管を流れた液冷媒の一部は、上記冷蔵ユニットに導入され、冷蔵膨張弁で膨張した後に冷蔵熱交換器で蒸発して冷蔵ショーケース内の空気を冷却し、残りの一部は、冷凍ユニットに導入され、冷凍膨張弁で膨張した後に冷凍熱交換器を流れ蒸発し冷凍ショーケース内の空気を冷却し、ブースタ圧縮機に吸入されて圧縮される。一方、第２連絡配管を流れた液冷媒の一部は、室内膨張弁で膨張した後に室内熱交で蒸発し、室内空気を冷却して室内の冷房を行う。その後、冷蔵ユニット及び冷凍ユニットを流れた冷媒は、合流して低圧ガス管を流れ、三方切換弁の第２ポート通ってインバータ圧縮機に吸入され、室内ユニットを流れた冷媒は、連絡ガス管を流れ三方切換弁の第３ポートを通ってインバータ圧縮機に吸入される。つまり、この運転では、室内熱交換器と冷蔵熱交換器とが、インバータ圧縮機に対して、互いに並列に接続され且つ蒸発圧力の異なる複数の蒸発器を構成する。
【０００５】
上記三方切換弁は、第２ポートから第１ポートへ流れる流量と第３ポートから第１ポートへ流れる流量との分配比が可変に構成されている。このような構成により、室内の冷房負荷及び冷蔵ショーケースの冷却負荷に応じて上記三方切換弁の流量の分配比を調節することができるので、冷蔵熱交換器と室内熱交換器においてそれぞれの負荷に対応した異なる蒸発温度で冷媒が蒸発する、所謂異温度蒸発を行うことができる。
【特許文献１】特開２００６−７１２７１号公報
【発明の開示】
【発明が解決しようとする課題】
【０００６】
しかしながら、上記特許文献１の冷凍装置では、圧縮機の吸入ガス冷媒が流れる配管に上記三方切換弁を設けているために、吸入ガス冷媒が流れる配管抵抗が大きくなり圧力損失が大きくなるという問題点があった。
【０００７】
本発明は、かかる点に鑑みてなされたものであり、１台の圧縮機に並列接続された複数の蒸発器を備えた冷凍装置において、圧縮機の吸入管における圧力損失の増大を抑制しながら、各蒸発器において冷却負荷に対応した異温度蒸発を行うことを目的とする。
【課題を解決するための手段】
【０００８】
第１の発明は、１台の圧縮機（11）に対して蒸発圧力が異なる複数台の蒸発器（43,53）が互いに並列接続された蒸気圧縮式冷凍サイクルの冷媒回路（10）を備えた冷凍装置であって、上記圧縮機（11）には、上記複数台の蒸発器（43,53）のそれぞれに対応し、該各蒸発器（43,53）で蒸発した冷媒が各吸入管（71,72）を介して吸入される複数の吸入ポート（11a,11b）が設けられる一方、上記各吸入管（71,72）には、該各吸入管（71,72）に上記冷媒回路（10）の高圧冷媒の一部を供給量可変に供給するインジェクション通路（67,68,98,99）が接続され、上記各蒸発器（43,53）の蒸発圧力に基づいて、上記吸入管（71,72）への高圧冷媒の供給量を制御する第１流量制御手段（101）を備えている。
【０００９】
この第１の発明では、上記第１流量制御手段（101）が、各蒸発器（43,53）の蒸発圧力がそれぞれの目標蒸発圧力となるように、各吸入管（71,72）への高圧冷媒の供給量を制御する。ここで、この蒸発圧力に基づく制御には、蒸発器（43,53）における蒸発圧力の測定値に基づいて制御を行うものに限られず、蒸発圧力を示す指標に基づいた制御を含む。つまり、蒸発圧力を示す指標として、蒸発器（43,53）の蒸発温度や吸入管（71,72）の圧力を測定し、これらの測定値をそれぞれの目標値とする制御を含む。
【００１０】
具体的に、上記第１流量制御手段（101）は、複数の蒸発器（43,53）のうち、所定の蒸発器（43）の蒸発圧力が目標蒸発圧力より低い場合は、上記所定の蒸発器（43）に対応した吸入管（71）にインジェクション通路（67,98）を介して高圧冷媒が多く供給されるように制御する。また、このように、所定の蒸発器（43）に対応した吸入管（71）に高圧冷媒を供給した状態で、所定の蒸発器（43）の蒸発圧力が目標蒸発圧力より高い場合は、上記吸入管（71）にインジェクション管（67,98）を介して供給される高圧冷媒の供給量が少なくなるように制御する。また、複数の吸入ポート（11a,11b）の吸入圧力が同じ場合、複数の蒸発器（43,53）のうち、目標蒸発圧力が高い蒸発器（53）に対応する吸入管（72）に、目標蒸発圧力が低い蒸発器（43）に対応する吸入管（71）より多く高圧冷媒を供給する。これにより、各蒸発器（43,53）の蒸発圧力を各蒸発器（43,53）の冷却負荷に対応した目標蒸発圧力とし、各蒸発器（43,53）の蒸発温度を異なる温度とする。
【００１１】
第２の発明は、第１の発明において、上記インジェクション通路（67,68,98,99）は、上記冷媒回路（10）の高圧の液冷媒が流れる液配管（82）と上記各吸入管（71,72）とに接続された液インジェクション管（67,68）である。
【００１２】
この第２の発明では、上記第１流量制御手段（101）が、上記各蒸発器（43,53）の蒸発圧力に基づいて、上記吸入管（71,72）に供給する液冷媒の量を制御する。
【００１３】
第３の発明は、第１又は第２の発明において、上記インジェクション管（88,89）は、上記圧縮機（11）から吐出されたガス冷媒が流れる吐出管（74）と上記各吸入管（71,72）とに接続されたガスインジェクション管（98,99）である。
【００１４】
この第３の発明では、上記第１流量制御手段（101）が、上記各蒸発器（43,53）の蒸発圧力に基づいて、上記吸入管（71,72）に供給するガス冷媒の量を制御する。
【００１５】
第４の発明は、第１〜第３の何れかの発明において、上記圧縮機（11）は、運転容量可変に構成され、上記複数の蒸発器（43,53）のうちの所定の第１蒸発器（43,53）の冷却負荷に基づいて、上記圧縮機（11）の運転容量を制御する容量制御手段（102）を備えている。
【００１６】
この第４の発明では、上記容量制御手段（102）が、上記圧縮機（11）の運転容量を、上記所定の第１蒸発器（43,53）の冷却負荷に基づいて制御する。ここで、冷却負荷に基づく制御とは、例えば、第１蒸発器（43,53）の蒸発圧力を示す指標（蒸発器（43,53）の蒸発温度、蒸発圧力、対応する吸入管（71,72）の圧力）、第１蒸発器（43,53）によって冷却される冷却室内の温度及び、第１蒸発器（43,53）によって冷却されて冷却室に吹き出される吹き出し空気温度の何れかを測定し、この測定値が目標値となるようにする制御である。つまり、冷却負荷に基づく制御として、例えば、蒸発温度が目標蒸発温度となるように制御を行う場合、上記容量制御手段（102）は、所定の第１蒸発器（43,53）の蒸発温度が目標蒸発温度より高いと、上記圧縮機（11）の運転容量を大きくし、所定の第１蒸発器（43）の蒸発温度が目標蒸発温度より低いと、上記圧縮機（11）の運転容量を小さくする。
【００１７】
なお、この第１蒸発器（43）は、予め複数の蒸発器（43,53）のうちの何れの蒸発器を第１蒸発器とするかが決定されていてもよいし、運転状況に応じて、第１蒸発器を適宜選択するようにしてもよい。
【００１８】
第５の発明は、上記所定の第１蒸発器（43,53）の１台の運転容量可変な圧縮機（11）に対して減圧度調整自在な膨張機構（48,54）と蒸発器（43,53）とを備える複数の利用側ユニットが互いに並列接続された蒸気圧縮式冷凍サイクルの冷媒回路（10）を備え、上記各蒸発器（43,53）において冷媒が異なる蒸発圧力で蒸発する冷凍装置であって、上記圧縮機（11）には、上記各蒸発器（43,53）に対応して吸入圧力が異なり、該各蒸発器（43,53）で蒸発した冷媒が各吸入管（71,72）を介して吸入される複数の吸入ポート（11a,11b）が設けられる一方、上記各蒸発器（43,53）のうちの所定の第１蒸発器（43,53）の冷却負荷に基づいて、上記圧縮機（11）の運転容量を制御する容量制御手段（102）と、上記第１蒸発器（43,53）以外の第２蒸発器（53,43）の蒸発圧力に基づいて、上記第２蒸発器（53,43）に対応した膨張機構（54,48）の冷媒流量を制御する第２流量制御手段（103）とを備えている。
【００１９】
この第５の発明では、各吸入ポート（11a,11b）の吸入圧力が異なるので、該吸入ポート（11a,11b）に各吸入管（71,72）を介して接続される各蒸発器（43,53）では、確実に異温度蒸発が行われる。つまり、吸入圧力が低い吸入ポート（11a）に吸入管（71）を介して接続される蒸発器（43）は、吸入圧力が高い吸入ポート（11b）に吸入管（72）を介して接続される蒸発器（53）よりも蒸発温度が低くなる。
【００２０】
そして、上記容量制御部（102）が、上記圧縮機（11）の運転容量を、上記所定の第１蒸発器（43,53）の冷却負荷に基づいて制御する。ここで、冷却負荷に基づく制御とは、第１蒸発器（43,53）の蒸発圧力を示す指標（蒸発器（43,53）の蒸発圧力、蒸発圧力、対応する吸入管（71,72）の圧力）、第１蒸発器（43,53）によって冷却される冷却室内の温度及び、第１蒸発器（43,53）によって冷却されて冷却室に吹き出される吹き出し空気温度の何れかを測定し、この測定値が目標値となるようにする制御である。つまり、冷却負荷に基づく制御として、例えば、蒸発温度が目標蒸発温度となるように制御を行う場合、上記容量制御手段（102）は、所定の第１蒸発器（43,53）の蒸発温度が目標蒸発温度より高いと、上記圧縮機（11）の運転容量を大きくし、所定の第１蒸発器（43）の蒸発温度が目標蒸発温度より低いと、上記圧縮機（11）の運転容量を小さくする。
【００２１】
また、第２流量制御手段（103）は、第２蒸発器（53,43）の蒸発温度に基づいて、上記第２蒸発器（53,43）に対応した膨張機構（54,48）の冷媒流量を制御する。つまり、上記第２蒸発器（53,43）の蒸発圧力が目標蒸発圧力より低い場合は、上記所定の蒸発器（43）に対応した膨張機構（48）の流量が少なくなるように制御する。また、所定の蒸発器（43）の蒸発圧力が目標蒸発圧力より高い場合は、上記所定の蒸発器（43）に対応した膨張機構（48）の流量が大きくなるように制御する。これにより、各蒸発器（43,53）の蒸発圧力を目標蒸発圧力とする。
【００２２】
第６の発明は、第１〜第５の何れかの発明において、上記圧縮機（11）の複数の吸入ポート（11a,11b）は、該圧縮機（11）の圧縮室の低圧に通じる低圧ポート（11a）と該圧縮室における圧縮途中に通じる中間圧ポート（11b）とを備えている。
【００２３】
この第６の発明では、上記圧縮機（11）の圧縮室の低圧の吸入ポート（11a）は中間圧の吸入ポート（11b）よりも圧力が低いので、上記低圧の吸入ポート（11a）に吸入管（71）を介して接続される蒸発器（43）は、上記中間圧の吸入ポート（11b）に吸入管（72）を介して接続される蒸発器（53）よりも蒸発温度が高くなる。
【発明の効果】
【００２４】
上記第１の発明によれば、各蒸発器（43,53）の蒸発圧力に基づいて、各吸入管（71,72）に供給される高圧冷媒の量を制御するようにしたために、各蒸発器（43,53）の蒸発温度を異なる温度とすることができる。そして、従来のように、吸入管に三方切換弁を設ける必要がないので、吸入管（71,72）を流れる冷媒の圧力損失の増大を抑制することができる。
【００２５】
また、上記第２の発明によれば、各蒸発器（43,53）の蒸発圧力に基づいて、各吸入管（71,72）に液冷媒を供給するので、圧縮機（11）の吐出冷媒の温度を低下させるという効果をも発揮させることができる。これにより、上記圧縮機（11）が高温になりすぎることがないので、該圧縮機（11）の信頼性を向上させることができる。
【００２６】
また、上記第３の発明によれば、各蒸発器（43,53）の蒸発圧力に基づいて、各吸入管（71,72）に吐出冷媒を供給するので、各蒸発器の蒸発圧力を確実に制御することができる。
【００２７】
また、上記第４の発明によれば、上記複数の蒸発器（43,53）のうちの所定の第１蒸発器（43,53）の冷却負荷に基づいて、上記圧縮機（11）の運転容量を制御するようにしたために、上記所定の第１蒸発器（43,53）の冷却負荷に応じた適切な運転を確実に行うことができる。
【００２８】
また、第５の発明によれば、各吸入ポート（11a,11b）の吸入圧力が異なるようにしたために、各蒸発器（43,53）の蒸発温度を異なる温度とすることができる。
【００２９】
そして、所定の第１蒸発器（43,53）の冷却負荷に応じた適切な運転を確実に行う一方、第２蒸発器（53）を目標蒸発圧力とするので、各蒸発器（43,53）の異なる蒸発圧力を確実に調整することができると共に、従来のように三方切換弁を別途設ける必要がないので、吸入管（71,72）を流れる冷媒の圧力損失の増大を抑制することができる。
【００３０】
また、上記第６の発明によれば、上記圧縮機（11）に圧縮室の低圧に通じる低圧ポート（11a）と該圧縮室における圧縮途中に通じる中間圧ポート（11b）を備えるようにしたために、上記低圧ポート（11a）に吸入管（71）を介して接続される蒸発器（43）は、上記中間圧ポート（11b）に吸入管（72）を介して接続される蒸発器（53）よりも蒸発温度を高くすることができる。これにより、圧縮機（11）の圧縮室を複数設けることなく、蒸発器（43,53）の蒸発温度を確実に異なる温度とすることができる。
【発明を実施するための最良の形態】
【００３１】
以下、本発明の実施形態を図面に基づいて詳細に説明する。
【００３２】
《発明の実施形態１》
図１に示すように、本発明の冷凍装置（1）は、コンビニエンスストアなどの商店に設置される冷凍装置であって、室内の空調運転と冷蔵ショーケース及び冷凍ショーケースの冷却運転とを行うものである。上記冷凍装置（1）は、室外ユニット（2）と冷凍ユニット（3）と冷蔵ユニット（4）と空調ユニット（5）とコントローラ（100）とを備えている。上記室外ユニット（2）は屋外に設置され、その他のユニット(3,4,5)は店内に設置されている。また、上記空調ユニット（5）は、店内の室内空調を行い、上記冷凍ユニット（3）は、上記冷凍ショーケースの冷却を行い、上記冷蔵ユニット（4）は、上記冷蔵ショーケースの冷却を行うように構成されている。
【００３３】
上記冷凍装置（1）には、上記室外ユニット（2）に室外回路（20）が、上記空調ユニット（5）に空調回路（50）が、上記冷蔵ユニット（4）に冷蔵回路（40）が、冷凍ユニット（3）に冷凍回路（30）がそれぞれ設けられている。上記冷凍装置（1）では、これらの回路（20,30,40,50）を配管で接続することによって蒸気圧縮式冷凍サイクルの冷媒回路（10）が構成されている。
【００３４】
具体的に、上記冷媒回路（10）においては、上記冷凍回路（30）と冷蔵回路（40）ととが、第１液側連絡配管（21）及び第１ガス側連絡配管（22）を介して室外回路（20）に対して互いに並列接続されている。上記第１液側連絡配管（21）は、一端が室外回路（20）に接続され、他端が第１液分岐管（21a）と第２液分岐管（21b）とに分岐されており、該第１液分岐管（21a）が冷蔵回路（40）に、第２液分岐管（21b）が冷凍回路（30）にそれぞれ接続されている。第１ガス側連絡配管（22）は、一端が室外回路（20）に接続され、他端が第１ガス分岐管（22a）と第２ガス分岐管（22b）とに分岐されており、該第１ガス分岐管（22a）が冷蔵回路（40）に、第２ガス分岐管（22b）が冷凍回路（30）に接続されている。また、上記冷媒回路（10）においては、空調回路（50）が、第２液側連絡配管（23）及び第２ガス側連絡配管（24）を介して室外回路（20）に接続されている。上記第２液側連絡配管（23）の一端は、室外回路（20）に接続され、他端は、空調回路（50）の液側端に接続されている。第２ガス側連絡配管（24）の一端は、室外回路（20）に接続され、他端は、空調回路（50）のガス側端に接続されている。
【００３５】
〈室外ユニット〉
上記室外ユニット（2）の室外回路（20）には、主圧縮機（11）と室外熱交換器（13）とレシーバー（14）と室外膨張弁（17）とが設けられている。また、室外回路（20）には、第１四路切換弁（15）と第２四路切換弁（16）と、液側閉鎖弁（61）と、２つのガス側閉鎖弁（62,63）とが設けられている。さらに、室外回路（20）には、本発明の特徴としてインジェクション通路である液インジェクション管（67,68）を備えている。
【００３６】
上記室外回路（20）において、液側閉鎖弁（61）には液側連絡管（86）の一端が接続され、該液側連絡管（86）の他端には、第１液側連絡配管（21）及び第２液側連絡配管（23）の一端が分岐接続されている。また、第１ガス側閉鎖弁（62）には第１ガス側連絡配管（22）の一端が、第２ガス側閉鎖弁（63）には第２ガス側連絡配管（24）の一端がそれぞれ接続されている。
【００３７】
上記主圧縮機（11）は、例えば、スクロール圧縮機であり、インバータを介して電力が供給され、該インバータの出力周波数を変化させることにより、運転容量が可変に構成されている。上記主圧縮機（11）は、内部に図示しない圧縮室を備え、該圧縮室の低圧に通じる低圧ポート（11a）と該圧縮室における圧縮途中に通じる中間圧ポート（11b）を備えている。上記主圧縮機（11）の低圧ポート（11a）には、第１吸入管（71）の一端が接続され、第１吸入管（71）の他端は、第１ガス側閉鎖弁（62）に接続されている。上記主圧縮機（11）の中間圧ポート（11b）には、第２吸入管（72）の一端が接続され、第２吸入管（72）の他端は、第２四路切換弁（16）に接続されている。このように、上記主圧縮機（11）は、複数の吸入ポート（11a,11b）に各吸入管（71,72）が接続されており、後述するように蒸発圧力の異なる複数の蒸発器（43,53）が接続されて１台の圧縮機に構成されている。
【００３８】
上記主圧縮機（11）の吐出側には、吐出管（74）の一端が接続され、該吐出管（74）の他端は、第１四路切換弁（15）に接続されている。上記吐出管（74）の途中には、吐出接続管（75）の一端が接続され、該吐出接続管（75）の他端は、第２四路切換弁（16）に接続されている。
【００３９】
室外熱交換器（13）は、クロスフィン式のフィン・アンド・チューブ型熱交換器で構成され、冷媒と室外空気との間で熱交換を行うものである。上記室外熱交換器（13）は、一端が第１四路切換弁（15）に接続される一方、他端が第１液管（81）を介してレシーバー（14）の頂部に接続されている。この第１液管（81）には、室外熱交換器（13）からレシーバー（14）へ向かう冷媒の流通だけを許容する逆止弁（CV-1）が設けられている。
【００４０】
レシーバー（14）の底部は、閉鎖弁（64）を介して第２液管（82）の一端が接続され、該第２液管（82）の他端は、液側閉鎖弁（61）を介して液側連絡管（86）に接続されている。上記第２液管（82）には、レシーバー（14）から液側閉鎖弁（61）へ向かう冷媒の流通だけを許容する逆止弁（CV-3）が設けられている。
【００４１】
上記第２液管（82）において、逆止弁（CV-3）と液側閉鎖弁（61）との間には、第３液管（83）の一端が接続されている。第３液管（83）の他端は、第１液管（81）における逆止弁（CV-1）とレシーバー（14）の頂部との間に接続されている。また、第３液管（83）には、一端から他端に向かって順に、第１電磁弁（SV-1）と逆止弁（CV-2）とが設けられている。上記第１電磁弁（SV-1）は開閉自在に構成され、該逆止弁（CV-2）は、その一端から他端へ向かう冷媒の流通だけを許容するように構成されている。
【００４２】
上記第２液管（82）における閉鎖弁（64）と逆止弁（CV-3）との間には、第４液管（84）の一端が接続され、該第４液管（84）の他端は、第１液管（81）における室外熱交換器（13）と逆止弁（CV-1）との間に接続されている。また、第４液管（84）には、室外膨張弁（17）が設けられている。
【００４３】
第１四路切換弁（15）は、第１のポートが吐出管（74）に、第２のポートが第２四路切換弁（16）に、第３のポートが室外熱交換器（13）に、第４のポートが第２ガス側閉鎖弁（63）にそれぞれ接続されている。この第１四路切換弁（15）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能に構成されている。
【００４４】
第２四路切換弁（16）は、第１のポートが吐出接続管（75）に、第２のポートが第２吸入管（72）に、第４のポートが第１四路切換弁（15）の第２のポートにそれぞれ接続されている。また、第２四路切換弁（16）は、第３のポートが封止されている。この第２四路切換弁（16）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能に構成されている。
【００４５】
さらに、室外回路（20）には、本発明の特徴として、第１インジェクション管（67）と第２インジェクション通路（68）とが設けられている。上記各インジェクション管（67,68）は、それぞれ、高圧の液冷媒の一部を供給量可変に供給するインジェクション通路であり、液インジェクション主管（87）と第１及び第２の各液インジェクション分岐管（88,89）とから構成されている。
【００４６】
具体的に、上記液インジェクション主管（87）は、一端が上記第３液管（83）におけ一端と第１電磁弁（SV-1）との間に接続され、他端が上記第１液インジェクション分岐管（88）の一端と第２液インジェクション分岐管（89）の一端とに分岐接続されている。また、上記第１液インジェクション分岐管（88）は、他端が上記第１吸入管（71）に接続され、途中に第１流量調整弁（18）が設けられる一方、上記第２液インジェクション分岐管（89）は、他端が上記第２吸入管（72）に接続され、途中に第２流量調整弁（19）が設けられている。上記各流量調整弁（18,19）は、開度調整自在な電子膨張弁で構成されている。
【００４７】
このような構成により、各液インジェクション管（67,68）は、第２液管（82）を流れる液冷媒を各吸入管（71,72）に供給量可変に供給するように構成されている。
【００４８】
上記室外回路（20）には、各種の圧力センサ（93,94,97）や温度センサ（91,92,96）、圧力スイッチ（95）も設けられている。具体的に、主圧縮機（11）の第１吸入管（71）に第１吸入温度センサ（96）及び第１吸入圧力センサ（97）が、第２吸入管（72）に第２吸入温度センサ（91）及び第２吸入圧力センサ（93）が、吐出管（74）に圧力スイッチ（95）、吐出温度センサ（92）及び吐出圧力センサ（94）がそれぞれ設けられている。また、上記室外ユニット（2）には、外気温センサ（90）と室外ファン（12）とが設けられている。室外熱交換器（13）へは、この室外ファン（12）によって室外空気が送られる。
【００４９】
〈空調ユニット〉
上記空調ユニット（5）の空調回路（50）には、空調膨張弁（54）と空調熱交換器（53）とが設けられている。
【００５０】
上記空調熱交換器（53）は、クロスフィン式のフィン・アンド・チューブ型熱交換器であって、冷媒と室内空気との熱交換を行うものである。上記空調熱交換器（53）は、後述するように、冷凍装置（1）が室内の冷房とショーケースの冷却を行う際に、主圧縮機（11）に対して互いに並列に接続される蒸発圧力が異なる複数台の蒸発器（43,53）のうちの１台を構成する。上記空調熱交換器（53）は、一端が上記第２ガス側連絡配管（24）に接続され、他端が上記空調膨張弁（54）を介して第２液側連絡配管（23）に接続されている。
【００５１】
上記空調膨張弁（54）は開度調整自在な電子膨張弁で構成されており、上記空調熱交換器（53）に対応した減圧度調整自在な膨張機構に構成されている。
【００５２】
上記空調熱交換器（53）には、第１熱交換器温度センサ（56）と出口冷媒温度センサ（57）とが設けられている。また、空調ユニット（5）には、室内温度センサ（55）と、室内ファン（52）とが設けられている。上記空調熱交換器（53）へは、上記室内ファン（52）によって、店内の室内空気が送られる。
【００５３】
〈冷蔵ユニット〉
上記冷蔵ユニット（4）の冷蔵回路（40）には、冷蔵熱交換器（43）と冷蔵膨張機構（48）とが設けられている。
【００５４】
上記冷蔵熱交換器（43）は、クロスフィン式のフィン・アンド・チューブ型熱交換器であって、冷媒と冷蔵ショーケース内の空気との間で熱交換を行うものである。上記冷蔵熱交換器（43）は、後述するように、ショーケース内の空気を冷却する際に、主圧縮機（11）に対して互いに並列に接続される蒸発圧力が異なる複数台の蒸発器（43,53）のうちの１台を構成する。上記冷蔵熱交換器（43）は、一端が冷蔵膨張機構（48）を介して上記第１液分岐管（21a）に接続され、他端が上記第１ガス分岐管（22a）に接続されている。
【００５５】
上記冷蔵膨張機構（48）は、第２電磁弁（SV-2）と冷蔵膨張弁（44）とを備え、これらの弁（SV-2,44）が、第１液分岐管（21a）から冷蔵熱交換器（43）に向かって順に設けられている。上記冷蔵回路（40）では、冷蔵熱交換器（43）の他端側である流出側に冷蔵膨張弁（44）の感温筒（47）が設けられており、上記冷蔵膨張弁（44）は、感温筒（47）の検出温度に応じて開度が調整される感温式膨張弁で構成されている。また、上記第２電磁弁（SV-2）は開閉自在に構成されている。このような構成により、上記冷蔵膨張機構（48）は、上記冷蔵熱交換器（43）に対応した減圧度調整自在な膨張機構に構成されている。また、上記冷蔵熱交換器（43）には、冷媒の蒸発温度を測定する第２熱交換器温度センサ（46）が設けられている。
【００５６】
冷蔵ユニット（4）には、冷蔵熱交換器（43）の近傍に、冷蔵庫内ファン（42）と冷蔵ショーケース内の空気の温度を検出する庫内温度センサ（45）が設けられている。上記冷蔵熱交換器（43）へは、この冷蔵庫内ファン（42）によって、ショーケース内の空気が送られる。
【００５７】
〈冷凍ユニット〉
上記冷凍ユニット（3）の冷凍回路（30）には、冷凍膨張弁（34）と冷凍熱交換器（33）とブースタ圧縮機（31）とが設けられている。また、上記冷凍回路（30）には、液側閉鎖弁（65）とガス側閉鎖弁（66）とが設けられている。上記液側閉鎖弁（65）は、第２液分岐管（21b）に接続され、上記ガス側閉鎖弁（66）は、第２ガス分岐管（22b）に接続されている。
【００５８】
上記冷凍熱交換器（33）は、クロスフィン式のフィン・アンド・チューブ型熱交換器であって、冷媒と冷凍ショーケース内の空気との間で熱交換を行うものである。上記冷凍熱交換器（33）は、一端が上記冷凍膨張弁（34）及び第３電磁弁（SV-3）を介して上記液側閉鎖弁（65）に接続され、他端がブースタ吸入管（38）を介してブースタ圧縮機（31）の吸入側に接続されている。
【００５９】
冷凍回路（30）では、冷凍熱交換器（33）の他端側である流出側に冷凍膨張弁（34）の感温筒（37）が設けられている。上記冷凍膨張弁（34）は、感温筒（37）の検出温度に応じて開度が調整される感温式膨張弁で構成されている。また、上記第３電磁弁（SV-3）は、開閉自在に構成されている。また、上記冷凍熱交換器（33）には、冷媒の蒸発温度を測定する第３熱交換器温度センサ（36）が設けられている。
【００６０】
冷凍ユニット（3）には、冷凍熱交換器（33）の近傍に、冷凍庫内ファン（32）と冷凍ショーケース内の空気の温度を検出する庫内温度センサ（35）が設けられている。上記冷凍熱交換器（33）へは、この冷凍庫内ファン（32）によって、ショーケース内の空気が送られる。
【００６１】
上記ブースタ圧縮機（31）は、例えば、スクロール圧縮機であり、インバータを介して電力が供給され、該インバータの出力周波数を変化させることにより、運転容量が可変に構成されている。上記ブースタ圧縮機（31）の吐出側はブースタ吐出管（39）を介してガス側閉鎖弁（66）と接続されている。上記ブースタ吐出管（39）には、ブースタ圧縮機（31）からガス側閉鎖弁（66）へ向かう冷媒の流通だけを許容する逆止弁（CV-4）が設けられている。
【００６２】
また、上記ブースタ圧縮機（31）のブースタ吸入管（38）とブースタ吐出管（39）とには、該ブースタ圧縮機（31）をバイパスするバイパス管（78）が接続されている。上記バイパス管（78）には、ブースタ吸入管（38）からブースタ吐出管（39）へ向かう冷媒の流通だけを許容する逆止弁（CV-5）が設けられている。上記バイパス管（78）は、ブースタ圧縮機（31）の停止中にのみブースタ圧縮機（31）をバイパスして冷媒が流すものである。
【００６３】
〈コントローラ〉
上記コントローラ（100）は、冷媒回路（10）に接続された各センサや各制御機器との間で相互に伝送可能に構成されている。
【００６４】
上記コントローラ（100）は、各圧縮機（11,31）及び各ファン（12,32,42,52）の駆動を制御すると共に、各膨張弁（17,34,44,54）の開度、各電磁弁（SV-1,SV-2,SV-3）の開閉動作及び各四路切換弁（15,16）の切換を制御するように構成されている。
【００６５】
さらに、上記コントローラ（100）は、本発明の特徴である第１流量制御部（101）と容量制御部（102）とを備えている。
【００６６】
上記第１流量制御部（101）は、上記冷蔵熱交換器（43）及び空調熱交換器（53）が共に蒸発器として機能する際に、これらの熱交換器（43,53）の蒸発圧力に基づいて、上記第１流量調整弁（18）及び第２流量調整弁（19）の開度調整を行って、第１及び第２吸入管（71,72）への液冷媒の供給量を制御するものであり、第１流量制御手段に構成されている。具体的に、上記第１流量制御部（101）は、冷蔵及び空調の各熱交換器（43,53）の蒸発圧力を示す指標であるの蒸発温度が目標蒸発温度となるように制御を行う。なお、上記第１流量制御部（101）は、上記冷蔵熱交換器（43）及び空調熱交換器（53）が共に蒸発器として機能しない場合、即ち、空調熱交換器（53）が凝縮器として機能する場合や何れかの熱交換器（43,53）に冷媒が流れない場合には、主圧縮機（11）の吐出冷媒の温度に基づいて、上記第１及び第２の各流量調整弁（18,19）を制御するように構成されている。
【００６７】
上記容量制御部（102）は、室内の空調負荷や冷蔵及び冷凍ショーケースの冷却負荷に基づいて、主圧縮機（11）及びブースタ圧縮機（31）の運転容量を制御するものである。また、上記容量制御部（102）は、本発明の特徴として、上記冷蔵熱交換器（43）及び空調熱交換器（53）が共に蒸発器として機能する際に、これらの熱交換器（43,53）のうちの一方の蒸発温度が目標蒸発温度となるように、上記主圧縮機（11）の運転容量を制御し、容量制御手段に構成されている。
【００６８】
−運転動作−
次に、上記冷凍装置（1）の運転動作について、図２から図９に基づいて説明する。本発明の冷凍装置（1）は、室内の暖房のみを行う暖房運転、室内の暖房とショーケースの冷却とを行う第１〜第３の暖房冷却運転、室内の冷房のみを行う冷房運転、室内の冷房運転とショーケースの冷却とを行う冷房冷却運転、ショーケースの冷却のみを行う冷却運転を行う。
【００６９】
〈暖房運転〉
図２に示すように、暖房運転は、室内の暖房のみを行う運転である。
【００７０】
暖房運転では、第１四路切換弁（15）が第２状態に、第２四路切換弁（16）が第１状態に設定され、第１電磁弁（SV-1）が開状態に、第２電磁弁（SV-2）及び第３電磁弁（SV-3）が閉状態に設定される。この状態において、主圧縮機（11）は駆動される一方、ブースタ圧縮機（31）は停止されて、冷媒が、図２の矢印に示すように循環する。また、空調膨張弁（54）の開度は、サブクール制御され、室外膨張弁（17）は適宜開度調整され、各流量調整弁（18,19）、後述するように第１流量制御部（101）により適宜開度調整される。また、室内ファン（52）は入力設定された風量で運転されるように制御され、室外ファン（12）は風量が適宜制御されて運転され、冷蔵庫内ファン（42）と冷凍庫内ファン（32）は停止される。
【００７１】
上記主圧縮機（11）から吐出した冷媒は、第１四路切換弁（15）を介して第２ガス側連絡配管（24）を流れ、空調ユニット（5）に導入される。空調ユニット（5）では、冷媒は、空調熱交換器（53）を流れ、室内空気に放熱し凝縮液化する。これにより、室内空気が加熱され、室内の暖房が行われる。凝縮した液冷媒は、空調膨張弁（54）を介して第２液側連絡配管（23）を流れ、室外ユニット（2）に導入される。
【００７２】
室外ユニット（2）において、液冷媒は、液側連絡管（86）及び第２液管（82）の他端側の一部を流れて第３液管（83）を流れ、レシーバー（14）を通過して第４液管（84）を流れる際に、室外膨張弁（17）で減圧されて膨張する。膨張した冷媒は、室外熱交換器（13）を流れ、室外空気から吸熱して蒸発し、第１四路切換弁（15）及び第２四路切換弁（16）を介して第２吸入管（72）を流れ、主圧縮機（11）に中間圧ポート（11b）から吸入されて再び圧縮される。
【００７３】
（暖房運転時の制御）
暖房運転では、上記容量制御部（102）が、室内の暖房負荷に応じて上記主圧縮機（11）の運転容量を制御する。具体的に、上記容量制御部（102）は、上記空調熱交換器（53）における凝縮温度が目標とする凝縮温度（例えば、５０℃）となるように主圧縮機（11）の運転容量を制御する。
【００７４】
また、室外膨張弁（17）は、主圧縮機（11）の吐出温度センサ（92）で測定される吐出冷媒の温度が所定の温度範囲内（（高圧冷媒圧力の相当飽和温度）＋１０℃＜吐出冷媒温度＜９０℃）となるように適宜開度調整される。つまり、上記室外膨張弁（17）は、上記主圧縮機（11）の吐出冷媒の温度が９０℃より高くなると、開度が大きくなるように調整される。これにより、主圧縮機（11）に中間圧ポート（11b）から吸入される冷媒の温度が低下したり湿り状態ととなるので、主圧縮機（11）の吐出冷媒の温度が低下する。
【００７５】
また、上記主圧縮機（11）の吐出冷媒の温度が高くなった場合、上記室外膨張弁（17）の制御に代わって、上記第１流量制御部（101）が、上記第２流量調整弁（19）を全閉状態から開状態にし、図２の破線矢印に示すように、第３液管（83）から第２吸入管（72）にインジェクションされるようにし、該第２流量調整弁（19）の開度調整を行うことにより、液冷媒の量を適宜制御するようにしてもよい。これにより、主圧縮機（11）の吐出冷媒の温度が低下する。また、上記第１流量制御部（101）は、第１流量調整弁（18）を常時全閉状態に設定する。
【００７６】
〈第１暖房冷却運転〉
図３に示すように、第１暖房冷却運転は、冷蔵及び冷凍ショーケースの冷却で得た排熱を室内の暖房に１００％利用する熱回収運転である。
【００７７】
第１暖房冷却運転では、第１四路切換弁（15）が第２状態に、第２四路切換弁（16）が第１状態に設定され、第１電磁弁（SV-1）が閉状態に、第２電磁弁（SV-2）及び第３電磁弁（SV-3）が開状態に設定される。また、室外膨張弁（17）は閉状態に設定され、上記空調膨張弁（54）は適宜開度調整され、上記冷蔵膨張弁（44）及び上記冷凍膨張弁（34）は、感温筒（47,37）により、例えば、過熱度５℃となるようにスーパーヒート制御され、各流量調整弁（18,19）は、後述するように適宜制御される。この状態において、主圧縮機（11）とブースタ圧縮機（31）は、ともに駆動され、冷媒が、図３の矢印に示す方向に循環する。また室内ファン（52）、冷蔵庫内ファン（42）及び冷凍庫内ファン（32）は風量が適宜調整されて駆動され、室外ファン（12）は停止される。
【００７８】
上記主圧縮機（11）から吐出した冷媒は、第１四路切換弁（15）を介して第２ガス側連絡配管（24）を流れ、空調ユニット（5）に導入される。空調ユニット（5）では、冷媒は、空調熱交換器（53）を流れ、室内空気に放熱し凝縮液化し、室内の暖房が行われる。
液化した冷媒は、空調膨張弁（54）を介して第２液側連絡配管（23）を流れ、第１液側連絡配管（21）を流れて、第１液分岐管（21a）と第２液分岐管（21b）とに分岐される。
【００７９】
上記第１液分岐管（21a）を流れた冷媒は、冷蔵ユニット（4）に導入され、第２電磁弁（SV-2）を介し、冷蔵膨張弁（44）で減圧されて膨張する。膨張した冷媒は、冷蔵熱交換器（43）を流れ、冷蔵ショーケース内の空気から吸熱して蒸発し、これにより、冷蔵ショーケース内の空気が冷却される。その後、蒸発した冷媒は、第１ガス分岐管（22a）を流れ、第１ガス側連絡配管（22）を流れる。
【００８０】
一方、上記第２液分岐管（21b）を流れた冷媒は、冷凍ユニット（3）に導入され、第３電磁弁（SV-3）を介し、冷凍膨張弁（34）で減圧されて膨張する。膨張した冷媒は、冷凍熱交換器（33）を流れ、冷凍ショーケース内の空気から吸熱して蒸発し、これにより、冷凍ショーケース内の空気が冷却される。その後、蒸発した冷媒は、ブースタ圧縮機（31）で圧縮されて、第２ガス分岐管（22b）を流れ、第１ガス側連絡配管（22）で冷蔵ユニット（4）から流出した冷媒と合流し、室外ユニット（2）に導入される。室外ユニット（2）に導入された冷媒は、第１吸入管（71）を流れ、主圧縮機（11）に低圧ポート（11a）から吸入され、再び圧縮される。
【００８１】
（第１暖房冷却運転時の制御）
第１暖房冷却運転では、上記容量制御部（102）が、冷蔵及び冷凍ショーケースの冷却負荷に応じて、上記主圧縮機（11）及びブースタ圧縮機（31）の運転容量を制御する。具体的に、上記容量制御部（102）は、上記冷蔵熱交換器（43）及び冷凍熱交換器（33）において、各熱交換器温度センサ(46,36)で測定される蒸発温度が各ショーケースの設定温度より１０℃低い目標蒸発温度となるように、各圧縮機（11,31）の運転容量を制御する。
【００８２】
また、上記第１流量制御部（101）は、上記第１流量調整弁（18）を常時全閉状態に設定する一方、主圧縮機（11）の吐出温度センサ（92）で測定される吐出冷媒の温度が上記所定の温度範囲内となるように、第２流量調整弁（19）の開度を調整する。具体的に、上記第１流量制御部（101）は、上記主圧縮機（11）の吐出冷媒の温度が９０℃より高くなると、上記第２流量調整弁（19）を全閉状態から開状態にし、図３の破線矢印に示すように、第２液側連絡配管（23）から第２吸入管（72）にインジェクションし、該第２流量調整弁（19）の開度調整を行って第２吸入管（72）に供給される液冷媒の量を適宜制御する。これにより、該液冷媒が主圧縮機（11）に中間圧ポート（11b）から供給されるので、該圧縮機（11）の吐出冷媒の温度が低下する。また、主圧縮機（11）の吐出冷媒の温度を低下させるために、第１吸入管（71）に液冷媒のインジェクションを行わないので、冷蔵熱交換器（43）及び冷凍熱交換器（33）の蒸発温度を上昇させることがない。
【００８３】
〈第２暖房冷却運転〉
図４に示すように、第２暖房冷却運転は、冷蔵及び冷凍ショーケースの冷却により得た排熱が室内の暖房負荷に比べて過剰となる場合に、室外熱交換器（13）を凝縮器として用い、ショーケースの冷却で得た排熱の余剰分を室外に捨てる運転である。
【００８４】
上記第２暖房冷却運転には、第１四路切換弁（15）及び第２四路切換弁（16）が第２状態に設定され、第１電磁弁（SV-1）は閉状態に、第２電磁弁（SV-2）及び第３電磁弁（SV-3）は開状態に、上記室外膨張弁（17）は全閉状態に設定される。この状態において、主圧縮機（11）とブースタ圧縮機（31）は、ともに駆動され、冷媒が、図４の矢印に示す方向に循環する。また、上記空調膨張弁（54）は、サブクール制御され、上記冷蔵膨張弁（44）及び上記冷凍膨張弁（34）は、感温筒（47,37）により例えば過熱度５℃となるようにスーパーヒート制御され、各流量調整弁（18,19）は、後述するように適宜開度調整される。また、全てのファン（12,32,42,52）が駆動される。
【００８５】
上記主圧縮機（11）から吐出した冷媒は、一部が、第１四路切換弁（15）を介して第２ガス側連絡配管（24）を流れ、空調ユニット（5）に導入される。空調ユニット（5）では、冷媒が、空調熱交換器（53）を流れ、室内空気に放熱し凝縮液化し、室内の暖房が行われる。空調熱交換器（53）で凝縮した液冷媒は、空調膨張弁（54）を介して第２液側連絡配管（23）を流れる。
【００８６】
一方、上記主圧縮機（11）から吐出した冷媒の残りの一部は、吐出接続管（75）を流れ、第２四路切換弁（16）を介して室外熱交換器（13）を流れ、室外空気に放熱し、凝縮液化する。これにより、ショーケースの冷却で得た余剰の排熱が、室外に捨てられる。室外熱交換器（13）で液化した冷媒は、第１液管（81）、レシーバー（14）及び第２液管（82）を順に流れ、液側連絡管（86）を流れる。そして、液側連絡管（86）を流れる液冷媒は、空調ユニット（5）から流出した上記第２液側連絡配管（23）を流れる液冷媒と合流して第１液側連絡配管（21）を流れ、一部が第１液分岐管（21a）に、残りの一部が第２液分岐管（21b）に分岐される。
【００８７】
上記第１液分岐管（21a）を流れた冷媒は、冷蔵ユニット（4）に導入され、冷蔵膨張弁（44）により膨張した後、冷蔵熱交換器（43）を流れ、冷蔵ショーケース内の空気から吸熱して蒸発する。これにより、冷蔵ショーケース内の空気が冷却される。その後、蒸発した冷媒は、第１ガス分岐管（22a）を介して第１ガス側連絡配管（22）を流れる。
【００８８】
一方、上記第２液分岐管（21b）を流れた冷媒は、冷凍ユニット（3）に導入され、冷凍膨張弁（34）により膨張した後、冷凍熱交換器（33）を流れ、冷凍ショーケース内の空気から吸熱して蒸発する。これにより、冷凍ショーケース内の空気が冷却される。その後、蒸発した冷媒は、ブースタ圧縮機（31）で圧縮され、第２ガス分岐管（22b）を介して第１ガス側連絡配管（22）で冷蔵ユニット（4）から流出した冷媒と合流し、室外ユニット（2）に導入される。室外ユニット（2）に導入された冷媒は、第１吸入管（71）を流れ、主圧縮機（11）の低圧ポート（11a）から圧縮機に吸入され、再び圧縮される。
【００８９】
（第２暖房冷却運転時の制御）
第２暖房冷却運転では、上記容量制御部（102）が、冷蔵及び冷凍ショーケースの冷却負荷に応じて、上記主圧縮機（11）及びブースタ圧縮機（31）の運転容量を制御する。つまり、上記容量制御部（102）は、上記冷蔵熱交換器（43）及び冷凍熱交換器（33）において、各熱交換器温度センサ(46,36)で測定される蒸発温度が各ショーケースの設定温度より１０℃低い目標蒸発温度となるように、各圧縮機（11,31）の運転容量を制御する。
【００９０】
また、室内の暖房負荷に応じて、室内ファン（52）及び室外ファン（12）がが適宜制御される。つまり、室内がサーモＯＮ状態であれば、室内ファン（52）は、入力設定された設定風量となるように制御され、室外ファン（12）は、上記空調熱交換器（53）における凝縮温度が目標凝縮温度となるように風量制御される。一方、室内の暖房がサーモＯＦＦ状態であれば、室内ファン（52）は、微量の風量となるように制御され、室外ファン（12）は、上記空調熱交換器（53）における凝縮圧力が所定の低凝縮圧力ＨＰ（min）（例えば、０．８ＭＰａ＜ＨＰ（min）＜１．０ＭＰａで、冷蔵膨張弁（44）及び冷凍膨張弁（34）が、感温筒（47,37）によりスーパーヒート制御される限界の圧力）となるように風量制御される。
【００９１】
また、上記第１流量制御部（101）は、上記第１暖房冷却運転と同様に、上記第１流量調整弁（18）を常時全閉状態に設定する一方、主圧縮機（11）の吐出温度センサ（92）で測定される吐出冷媒の温度が上記所定の温度範囲内となるように、第２流量調整弁（19）の開度を調整し、第２液側連絡配管（23）から第２吸入管（72）にインジェクションされる液冷媒の量を適宜制御する。これにより、冷蔵熱交換器（43）及び冷凍熱交換器（33）の蒸発温度を上昇させることなく、主圧縮機（11）の吐出冷媒の温度を低下させる。
【００９２】
〈第３暖房冷却運転〉
図５に示すように、第３暖房冷却運転は、冷蔵及び冷凍ショーケースの冷却により得た排熱のみでは、室内の暖房の能力不足となる場合に、室外熱交換器（13）も蒸発器として用い、冷蔵及び冷凍ショーケースの冷却で得た排熱と室外熱交換器（13）で得た熱とを、室内の暖房に利用する運転である。
【００９３】
上記第３暖房冷却運転では、第１四路切換弁（15）が第２状態に、第２四路切換弁（16）が第１状態に設定され、冷媒回路（10）の全ての電磁弁（SV-1,SV-2,SV-3）が開状態に設定される。の状態において、主圧縮機（11）とブースタ圧縮機（31）は、ともに駆動され、冷媒が、図５の矢印に示す方向に循環する。また、空調膨張弁（54）は、サブクール制御され、上記冷蔵膨張弁（44）及び上記冷凍膨張弁（34）は、感温筒（47,37）によりスーパーヒート制御され、室外膨張弁（17）及び各流量調整弁（18,19）は、後述するように適宜制御される。また、全てのファン（12,32,42,52）が駆動される。
【００９４】
上記主圧縮機（11）から吐出した冷媒は、第１四路切換弁（15）を介して第２ガス側連絡配管（24）を流れ、空調ユニット（5）に導入される。空調ユニット（5）では、冷媒は、空調熱交換器（53）を流れ、室内空気に放熱し凝縮液化し、室内の暖房が行われる。
【００９５】
上記空調熱交換器（53）を流れた液冷媒は、空調膨張弁（54）を介して第２液側連絡配管（23）を流れ、第１液側連絡配管（21）と室外ユニット（2）の液側連絡管（86）とに分岐される。さらに、上記第１液側連絡配管（21）を流れる冷媒は、第１液分岐管（21a）と第２液分岐管（21b）とに分岐される。
【００９６】
上記第１液分岐管（21a）を流れた冷媒は、冷蔵ユニット（4）に導入され、冷蔵膨張弁（44）により膨張した後、冷蔵熱交換器（43）を流れ、冷蔵ショーケース内の空気から吸熱して蒸発する。これにより、冷蔵ショーケース内の空気が冷却される。その後、蒸発した冷媒は、第１ガス分岐管（22a）を流れ、第１ガス側連絡配管（22）を流れる。
【００９７】
一方、上記第２液分岐管（21b）を流れた冷媒は、冷凍ユニット（3）に導入され、冷凍膨張弁（34）により膨張した後、冷凍熱交換器（33）を流れ、冷凍ショーケース内の空気から吸熱して蒸発する。これにより、冷凍ショーケース内の空気が冷却される。その後、蒸発した冷媒は、ブースタ圧縮機（31）で圧縮されて、第２ガス分岐管（22b）を流れ、第１ガス側連絡配管（22）で冷蔵ユニット（4）から流出した冷媒と合流し、室外ユニット（2）に導入される。室外ユニット（2）に導入された冷媒は、第１吸入管（71）を流れ、主圧縮機（11）に低圧ポート（11a）から吸入され、再び圧縮される。
【００９８】
一方、室外ユニット（2）の液側連絡管（86）を流れた液冷媒は、第３液管（83）及びレシーバー（14）を通過して第４液管（84）を流れ、室外膨張弁（17）により膨張し、室外熱交換器（13）を流れ、室外空気から吸熱して蒸発する。蒸発した冷媒は、第１四路切換弁（15）及び第２四路切換弁（16）を介して第２吸入管（72）を流れ、主圧縮機（11）に中間圧ポート（11b）から吸入され、低圧ポート（11a）から吸入されて中間圧まで圧縮された冷媒と共に、再び圧縮される。
【００９９】
（第３暖房冷却運転時の制御）
第３暖房冷却運転では、上記容量制御部（102）が、冷蔵及び冷凍ショーケースの冷却負荷に応じて上記主圧縮機（11）及びブースタ圧縮機（31）の運転容量を制御する。つまり、上記容量制御部（102）は、上記冷蔵熱交換器（43）及び冷凍熱交換器（33）において、各熱交換器温度センサ(46,36)で測定される蒸発温度が各ショーケースの設定温度より１０℃低い目標蒸発温度となるように、各圧縮機（11,31）の運転容量を制御する。
【０１００】
また、室外ファン（12）は、上記空調熱交換器（53）における凝縮温度が目標凝縮温度となるように風量制御される。
【０１０１】
また、室外膨張弁（17）は、上記暖房運転と同様に、主圧縮機（11）の主圧縮機（11）の吐出温度センサ（92）で測定される吐出冷媒の温度が所定の温度範囲内となるように適宜開度調整される。つまり、上記室外膨張弁（17）は、上記主圧縮機（11）の吐出冷媒の温度が９０℃より高くなると、開度が大きくなるように制御される。
【０１０２】
また、上記主圧縮機（11）の吐出冷媒の温度が高くなった場合、上記室外膨張弁（17）の制御に代わって、上記第１流量制御部（101）が、上記第２流量調整弁（19）を全閉状態から開状態にして開度調整を行い、図２の破線矢印に示すように、第３液管（83）から第２吸入管（72）にインジェクションされる液冷媒の量を適宜制御するようにしてもよい。また、上記第１流量制御部（101）は、第１流量調整弁（18）を常時全閉状態に設定する。これにより、冷蔵熱交換器（43）及び冷凍熱交換器（33）の蒸発温度が上昇することなく、主圧縮機（11）の吐出冷媒の温度が低下する。
【０１０３】
〈冷房運転〉
図６に示すように、冷房運転は、室内の冷房のみを行う運転である。
【０１０４】
冷房運転時では、第１四路切換弁（15）及び第２四路切換弁（16）が第１状態に設定され、冷媒回路（10）の全ての電磁弁（SV-1,SV-2,SV-3）が閉状態に、室外膨張弁（17）閉状態に設定される。この状態において、主圧縮機（11）は駆動される一方、ブースタ圧縮機（31）は停止され、図６の矢印に示すように冷媒が循環する。また、空調膨張弁（54）及び各流量調整弁（18,19）が後述するように適宜開度調整される。また、室内ファン（52）は入力設定された風量で運転され、室外ファン（12）は風量が適宜制御されて運転され、冷蔵庫内ファン（42）と冷凍庫内ファン（32）は停止される。
【０１０５】
上記主圧縮機（11）から吐出した冷媒は、第１四路切換弁（15）を介して室外熱交換器（13）を流れ、室外空気に放熱し凝縮液化する。その後、液化した冷媒は、第１液管（81）、レシーバー（14）及び第２液管（82）を順に流れ、液側連絡管（86）を介して第２液側連絡配管（23）を流れ、空調ユニット（5）に導入される。
【０１０６】
空調ユニット（5）に導入された液冷媒は、空調膨張弁（54）を流れる際に、減圧されて膨張し、空調熱交換器（53）を流れ、室内空気から吸熱して蒸発する。これにより、室内空気が冷却され、室内の冷房が行われる。蒸発した冷媒は、第２ガス側連絡配管（24）を流れ、室外ユニット（2）に導入される。室外ユニット（2）に導入された冷媒は、第１四路切換弁（15）及び第２四路切換弁（16）を介して第２吸入管（72）を流れ、主圧縮機（11）に中間圧ポート（11b）から吸入され、再び圧縮される。
【０１０７】
（冷房運転時の制御）
冷房運転では、上記容量制御部（102）は、上記主圧縮機（11）の運転容量を室内の冷房負荷に応じて制御する。具体的に、上記容量制御部（102）は、上記空調熱交換器（53）において、第１熱交換器温度センサ（56）で測定される蒸発温度が室内の設定温度より１０℃低い目標蒸発温度となるように、上記主圧縮機（11）の運転容量を制御する。        
【０１０８】
また、空調膨張弁（54）は、主圧縮機（11）の主圧縮機（11）の吐出温度センサ（92）で測定される吐出冷媒の温度が所定の温度範囲内となるよに適宜開度調整される。つまり、上記主圧縮機（11）の吐出冷媒の温度が９０℃より高くなると、上記空調膨張弁（54）の開度が大きくなるように調整され、これにより、主圧縮機（11）の吐出冷媒の温度を低下させる。
【０１０９】
また、上記空調膨張弁（54）は、主圧縮機（11）の吐出冷媒の温度に基づく制御に代わり、常時スーパヒート制御されるようにしてもよい。この場合、上記主圧縮機（11）の吐出冷媒の温度が高くなると、上記第１流量制御部（101）が、上記第１流量調整弁（18）を全閉状態から開状態にして開度調整を行い、図６の破線矢印に示すように、第３液管（83）から第１吸入管（71）にインジェクションされる液冷媒の量を適宜制御する。また、上記第１流量制御部（101）は、第２流量調整弁（19）を常時全閉状態に設定する。これにより、第２吸入管（72）には液冷媒がインジェクションされることないので、空調熱交換器（53）の蒸発温度が上昇することなく、主圧縮機（11）の吐出冷媒の温度が低下する。
【０１１０】
〈冷房冷却運転〉
図７に示すように、冷房冷却運転は、室内の冷房と冷蔵及び冷凍のショーケースの冷却を行う運転であり、本発明の特徴として、上記空調熱交換器（53）と上記冷蔵熱交換器（43）とが、１台の圧縮機である上記主圧縮機（11）に対して互いに並列接続された蒸発圧力が異なる複数台の蒸発器を構成する。
【０１１１】
冷房冷却運転では、第１四路切換弁（15）及び第２四路切換弁（16）が第１状態に設定され、第１電磁弁（SV-1）は閉状態に、第２電磁弁（SV-2）及び第３電磁弁（SV-3）は開状態に、上記室外膨張弁（17）は閉状態に設定される。この状態において、主圧縮機（11）とブースタ圧縮機（31）は、ともに駆動され、冷媒が、図７の矢印に示す方向に循環する。また、上記空調膨張弁（54）は出口冷媒温度センサ（57）により、冷蔵膨張弁（44）及び冷凍膨張弁（34）は感温筒（47,37）によりそれぞれスーパーヒート制御される。また、全てのファン（12,32,42,52）が駆動される。
【０１１２】
上記主圧縮機（11）から吐出した冷媒は、第１四路切換弁（15）を介して室外熱交換器（13）を流れ、室外空気に放熱し凝縮液化する。その後、液化した冷媒は、第１液管（81）、レシーバー（14）及び第２液管（82）を順に流れて液側連絡管（86）を流れる。液側連絡管（86）を流れた冷媒は、第１液側連絡配管（21）と第２液側連絡配管（23）とに分岐される。さらに、第１液側連絡配管（21）を流れた冷媒は、第１液分岐管（21a）と第２液分岐管（21b）とに分岐される。
【０１１３】
上記第１液分岐管（21a）を流れた冷媒は、冷蔵ユニット（4）に導入され、冷蔵膨張弁（44）により膨張し、冷蔵熱交換器（43）を流れ、冷蔵ショーケース内の空気から吸熱して蒸発する。これにより、冷蔵ショーケース内の空気が冷却される。その後、蒸発した冷媒は、第１ガス分岐管（22a）を流れ、第１ガス側連絡配管（22）を流れる。
【０１１４】
一方、上記第２液分岐管（21b）を流れた冷媒は、冷凍ユニット（3）に導入され、冷凍膨張弁（34）により膨張し、冷凍熱交換器（33）を流れ、冷凍ショーケース内の空気から吸熱して蒸発する。これにより、冷凍ショーケース内の空気が冷却される。その後、蒸発した冷媒は、ブースタ圧縮機（31）で圧縮され、第２ガス分岐管（22b）を流れて第１ガス側連絡配管（22）を流れ、冷蔵ユニット（4）から流出した冷媒と合流し、室外ユニット（2）に導入される。室外ユニット（2）に導入された冷媒は、第１吸入管（71）を流れ、主圧縮機（11）の低圧ポート（11a）から圧縮機に吸入され、圧縮される。
【０１１５】
上記第２液側連絡配管（23）を流れた液冷媒は、空調ユニット（5）に導入され、空調膨張弁（54）により膨張し、空調熱交換器（53）を流れ、室内空気から吸熱して蒸発し、室内の冷房を行う。蒸発した冷媒は、第２ガス側連絡配管（24）を流れ、室外ユニット（2）に導入される。室外ユニット（2）に導入された冷媒は、第１四路切換弁（15）及び第２四路切換弁（16）を介して第２吸入管（72）を流れ、主圧縮機（11）に中間圧ポート（11b）から吸入され、低圧ポート（11a）から吸入されて中間圧まで圧縮された冷媒と共に、再び圧縮される。
【０１１６】
このように、上記冷蔵熱交換器（43）は、主圧縮機（11）の低圧ポート（11a）に連通し、上記空調熱交換器（53）は、主圧縮機（11）の中間圧ポート（11b）に連通しているので、冷蔵熱交換器（43）の蒸発温度は、空調熱交換器（53）の蒸発温度よりも低く、両熱交換器（43,53）間で蒸発温度が異なる、所謂異温度蒸発が行われる。
【０１１７】
（冷房冷却運転時の制御）
冷房冷却運転では、上記容量制御部（102）が、冷蔵及び冷凍ショーケースの冷却負荷に応じて上記主圧縮機（11）及びブースタ圧縮機（31）の運転容量を制御する。つまり、上記容量制御部（102）は、上記冷蔵熱交換器（43）及び冷凍熱交換器（33）において、各熱交換器温度センサ(46,36)で測定される蒸発温度が各ショーケースの設定温度より１０℃低い目標蒸発温度となるように、各圧縮機（11,31）の運転容量を制御する。    
【０１１８】
この状態において、上記冷蔵熱交換器（43）の蒸発温度が目標蒸発温度となり、空調熱交換器（53）の蒸発温度が目標蒸発温度より高い場合、上記容量制御部（102）は、上記主圧縮機（11）の運転容量制御を、上記室内の冷房負荷に基づいた制御に切換える。つまり、上記容量制御部（102）は、上記空調熱交換器（53）において第１熱交換器温度センサ（56）で測定される蒸発温度が目標蒸発温度となるように、上記主圧縮機（11）の運転容量を増大させる。
【０１１９】
ここで、上記主圧縮機（11）の運転容量を増大させたことにより、この状態のままでは、冷蔵熱交換器（43）の蒸発温度も低下し、ショーケースが過度に冷却される。そこで、本発明の特徴として、上記第１流量制御部（101）が、冷蔵熱交換器（43）において第２熱交換器温度センサ（46）で測定される蒸発温度が目標蒸発温度となるように、図７の破線矢印（a）に示すように、第２液管（82）から液冷媒を第１吸入管（71）にインジェクションさせ、このインジェクションされる液冷媒の量を制御する。つまり、上記第１流量調整弁（18）を全閉状態から開状態にして開度調整を行う。また、第１流量制御部（101）は、第２流量調整弁（19）を常時全閉状態に設定する。
【０１２０】
このようにして、主圧縮機（11）の運転容量が増大することから、空調熱交換器（53）では、蒸発温度が低下して目標蒸発温度となる一方、上記冷蔵熱交換器（43）では、蒸発温度が低下することなく目標蒸発温度に維持される。
【０１２１】
一方、上記空調熱交換器（53）の蒸発温度が目標蒸発温度となり、冷蔵熱交換器（43）の蒸発温度が目標蒸発温度より高い場合、上記容量制御部（102）は、上記冷蔵熱交換器（43）における第２熱交換器温度センサ（46）の測定値が目標蒸発温度となるように、上記主圧縮機（11）の運転容量制御を増大させる。
【０１２２】
ここで、上記主圧縮機（11）の運転容量を増大させたことにより、この状態のままでは、空調熱交換器（53）の蒸発温度も低下し、室内が過度に冷却される。そこで、本発明の特徴として、上記第１流量制御部（101）が、空調熱交換器（53）において第１熱交換器温度センサ（56）で測定される蒸発温度が目標蒸発温度となるように、図７の破線矢印（b）に示すように、第２液管（82）から第２吸入管（72）にインジェクションさせ、このインジェクションされる液冷媒の量を制御する。つまり、上記第１流量調整弁（18）を全閉状態から開状態にして開度調整を行う。また、第１流量制御部（101）は、第１流量調整弁（18）を常時全閉状態に設定する。
【０１２３】
このようにして、主圧縮機（11）の運転容量が増大することから、冷蔵熱交換器（43）では、蒸発温度が低下して目標蒸発温度となる一方、上記空調熱交換器（53）では、蒸発温度は低下することなく目標蒸発温度に維持される。
【０１２４】
また、上記冷蔵熱交換器（43）の蒸発温度が目標蒸発温度となり、空調熱交換器（53）の蒸発温度が目標蒸発温度より低い場合、第１流量制御部（101）は、空調熱交換器（53）において第１熱交換器温度センサ（56）で測定される蒸発温度が目標蒸発温度となるように、上記第２流量調整弁（19）を全閉状態から開状態して開度調整を行い、図７の破線矢印（b）に示すように、第２吸入管（72）にインジェクションされる液冷媒の量を調節する。これにより、上記冷蔵熱交換器（43）の蒸発温度は目標蒸発温度に維持したままで、上記空調熱交換器（53）の蒸発温度のみを上昇させる。
【０１２５】
一方、上記冷蔵熱交換器（43）の蒸発温度が目標蒸発温度より低く、空調熱交換器（53）の蒸発温度が目標蒸発温度となった場合、上記第１流量制御部（101）は、冷蔵熱交換器（43）において第２熱交換器温度センサ（46）で測定される蒸発温度が目標蒸発温度となるように、上記第１流量調整弁（18）を全閉状態から開状態して開度調整を行い、図７の破線矢印（a）に示すように、第１吸入管（71）にインジェクションされる液冷媒の量を調節する。これにより、上記冷蔵熱交換器（43）の蒸発温度を目標蒸発温度まで上昇させることができる一方、上記空調熱交換器（53）の蒸発温度は目標蒸発温度に維持することができる。
【０１２６】
以上のようにして、上記容量制御部（102）と上記第１流量制御部（101）とにより、蒸発器として機能する空調熱交換器（53）と冷蔵熱交換器（43）の蒸発温度が個別に制御され、各熱交換器（53,43）において冷却負荷に対応した異温度蒸発を行うことができる。さらに、各吸入管（71,72）に液冷媒がインジェクションされるので、主圧縮機（11）には湿り状態の冷媒が供給され、上記主圧縮機（11）の吐出冷媒の温度が高くなりすぎることを防止することができる。
【０１２７】
なお、上記冷蔵熱交換器（43）及び空調熱交換器（53）の何れもが共にそれぞれの目標蒸発温度となっている場合、上記第１流量制御部（101）は、主圧縮機（11）の吐出冷媒の温度が所定の温度範囲内となるように、上記各流量調整弁（18,19）の開度を制御する。この場合、冷蔵ショーケースの冷却を優先させる場合は、該ショーケースの蒸発温度を上昇させないように、上記第２流量調整弁（19）の開度調整を行って、液冷媒が第２吸入管（72）にインジェクションされるようにし、室内の冷房を優先させる場合は、空調熱交換器（53）の蒸発温度を上昇させないように、上記第１流量調整弁（18）の開度調整を行って液冷媒を第１吸入管（71）にインジェクションされるようにする。
【０１２８】
また、上記冷凍熱交換器（33）の蒸発温度は、ブースタ圧縮機（31）の運転容量を適宜制御することにより、目標蒸発温度となるように制御してもよいし、上述した主圧縮機（11）の運転容量制御と第１流量制御部（101）による流量調整弁（18,19）の制御とにより、上記冷蔵熱交換器（43）の変動に伴って変動させるようにしてもよい。    
【０１２９】
〈冷却運転〉
図８に示すように、冷却運転は、冷蔵及び冷凍ショーケースの冷却のみを行う運転である。
【０１３０】
冷却運転では、第１四路切換弁（15）及び第２四路切換弁（16）が第１状態に設定され、第１電磁弁（SV-1）は閉状態に、第２電磁弁（SV-2）及び第３電磁弁（SV-3）は開状態に設定され、上記空調膨張弁（54）と室外膨張弁（17）は、全閉状態に設定される。この状態において、主圧縮機（11）とブースタ圧縮機（31）は、ともに駆動され、冷媒が、図８の矢印に示す方向に循環する。また、上記冷蔵膨張弁（44）と上記冷凍膨張弁（34）とが感温筒（47,37）によりスーパーヒート制御され、冷蔵庫内ファン（42）と冷凍庫内ファン（32）が入力設定された風量で運転され、室外ファン（12）が適宜調整された風量で運転され、室内ファン（52）が停止される。
【０１３１】
上記主圧縮機（11）から吐出した冷媒は、第１四路切換弁（15）を介して室外熱交換器（13）を流れ、室外空気に放熱し凝縮液化する。液化した冷媒は、第１液管（81）、レシーバー（14）及び第２液管（82）を順に流れ、液側連絡管（86）を流れる。液側連絡管（86）を流れた冷媒は、第１液側連絡配管（21）を流れ、第１液分岐管（21a）と第２液分岐管（21b）とに分岐される。
【０１３２】
上記第１液分岐管（21a）を流れた冷媒は、冷蔵ユニット（4）に導入され、冷蔵膨張弁（44）により膨張し、冷蔵熱交換器（43）を流れ、冷蔵ショーケース内の空気から吸熱して蒸発する。これにより、冷蔵ショーケース内の空気が冷却される。その後、蒸発した冷媒は、第１ガス分岐管（22a）を流れ、第１ガス側連絡配管（22）を流れる。
【０１３３】
一方、上記第２液分岐管（21b）を流れた冷媒は、冷凍ユニット（3）に導入され、冷凍膨張弁（34）で膨張し、冷凍熱交換器（33）を流れ、冷凍ショーケース内の空気から吸熱して蒸発する。これにより、冷凍ショーケース内の空気が冷却される。その後、蒸発した冷媒は、ブースタ圧縮機（31）で圧縮され、第２ガス分岐管（22b）を流れて第１ガス側連絡配管（22）を流れ、冷蔵ユニット（4）から流出した冷媒と合流し、室外ユニット（2）に導入される。室外ユニット（2）に導入された冷媒は、第１吸入管（71）を流れ、主圧縮機（11）に低圧ポート（11a）から吸入され、再び圧縮される。
【０１３４】
（冷却運転時の制御）
冷却運転では、上記容量制御部（102）が、冷蔵及び冷凍ショーケースの冷却負荷に応じて上記主圧縮機（11）及びブースタ圧縮機（31）の運転容量を制御する。つまり、上記容量制御部（102）は、上記冷蔵熱交換器（43）及び冷凍熱交換器（33）において、各熱交換器温度センサ(46,36)で測定される蒸発温度が各ショーケースの設定温度より１０℃低い目標蒸発温度となるように、各圧縮機（11,31）の運転容量を制御する。    
【０１３５】
また、上記第１流量制御部（101）は、主圧縮機（11）の吐出温度センサ（92）で測定される吐出冷媒の温度が上記所定の温度範囲内となるように、上記第２流量調整弁（19）を全閉状態から開状態にして開度調整を行い、図９の破線矢印に示すように、第３液管（83）から第２吸入管（72）にインジェクションされる液冷媒の量を適宜制御する。また、上記第１流量制御部（101）は、第１流量調整弁（18）を常時全閉状態に設定する。これにより、冷蔵熱交換器（43）及び冷凍熱交換器（33）の蒸発温度を上昇させることなく、主圧縮機（11）の吐出冷媒の温度を低下させる。
【０１３６】
−実施形態１の効果−
上記冷凍装置（1）では、上記主圧縮機（11）は、低圧ポート（11a）と中間圧ポート（11b）とを備え、上記冷房冷却運転時に、冷蔵熱交換器（43）で蒸発した冷媒が、低圧ポート（11a）から吸入され、空調熱交換器（53）で蒸発した冷媒が中間圧ポート（11b）から吸入されるようにしたために、上記空調熱交換器（53）の蒸発温度を上記冷蔵熱交換器（43）の蒸発温度を確実に高くすることができる。つまり、上記冷蔵熱交換器（43）及び上記空調熱交換器（53）の蒸発温度を確実に異なる温度とすることができる。
【０１３７】
また、冷蔵ショーケースの冷却を行う運転において、上記主圧縮機（11）の吐出温度が高い場合は、上記第２流量調整弁（19）を制御して中間圧ポート（11b）から液冷媒又は湿り冷媒をインジェクションすることにより、冷蔵熱交換器（43）の蒸発温度を上昇させることなく、主圧縮機（11）の吐出冷媒の温度を低下させることができる。また、室内の冷房行う運転において、上記主圧縮機（11）の吐出温度が高い場合は、上記第１流量調整弁（18）を制御して低圧ポート（11a）から液冷媒又は湿り冷媒をインジェクションすることにより、空調熱交換器（53）の蒸発温度を上昇させることなく、主圧縮機（11）の吐出冷媒の温度を低下させることができる。
【０１３８】
さらに、本発明の特徴として、上記冷房冷却運転時に、上記容量制御部（102）が、冷蔵熱交換器（43）と空調熱交換器（53）の何れか一方の熱交換器（43,53）の蒸発温度が目標蒸発温度となるように、上記主圧縮機（11）の運転容量を制御し、上記第１流量制御部（101）が、他方の熱交換器（53,43）の蒸発温度が、該他方の蒸発器（53,43）の目標蒸発温度となるように、吸入管（71,72）への液冷媒の供給量を制御するようにしたために、上記冷蔵熱交換器（43）及び上記空調熱交換器（53）の蒸発温度を個別に制御することができる。これにより、ショーケースの冷却及び室内の冷房の負荷に確実に対応した運転を行うことができる。そして、このように、上記冷蔵熱交換器（43）と上記空調熱交換器（53）の蒸発温度を個別に制御するにあたり、従来のように、吸入管に三方切換弁を設けた構成に比して、吸入管（71,72）を流れる冷媒の圧力損失を低減することができる。さらに、この蒸発温度の制御を行うために、上記圧縮機（11）の吸入管（71,72）に液冷媒がインジェクションされるので、上記圧縮機（11）の吐出冷媒の温度を低下させることができる。これにより、該圧縮機（11）が高温になりすぎることがないので、該圧縮機（11）の信頼性が向上する。
【０１３９】
−実施形態１の変形例−
本実施形態は、上記実施形態１の主圧縮機（11）が圧縮室の低圧に通じる低圧ポート（11a）と該圧縮室における圧縮途中に通じる中間圧ポート（11b）とを備えたことに代わり、主圧縮機（11）の各吸入ポート（11a,11b）の吸入圧力を同じ圧力としたものである。なお、各吸入ポート（11a,11b）は、同じ圧縮室に通じていても良いし、異なる圧縮室に通じていてもよい。
【０１４０】
本実施形態では、第１流量制御部（101）が、上記冷蔵熱交換器（43）及び空調熱交換器（53）が共に蒸発器として機能する冷却冷房運転時に、これらの熱交換器（43,53）の蒸発圧力を示す指標である蒸発温度に基づいて、第１及び第２吸入管（71,72）への液冷媒の供給量を制御する。
【０１４１】
つまり、第１流量制御手段（101）は、各流量調整弁（18,19）の開度調整を行って、上記冷蔵熱交換器（43）に対応する第１吸入管（71）に供給される液冷媒の量が、上記空調熱交換器（53）に対応する第２吸入管（72）に供給される液冷媒の量より少なくなるように制御する。
【０１４２】
これにより、主圧縮機（11）の複数の吸入ポート（11a,11b）が同じ吸入圧力であっても、上記冷蔵熱交換器（43）の蒸発温度が上記空調熱交換器（53）の蒸発温度より低くなり、各熱交換器（43,53）の蒸発温度を確実に異なる温度とすることができる。また、この液冷媒の量を調節することにより、各熱交換器（43,53）の蒸発温度を冷却負荷に対応した目標蒸発温度とすることができる。
【０１４３】
なお、上記第１流量制御手段（101）は、第１流量調整弁（18）を全閉状態に保ち、上記冷蔵熱交換器（43）に対応する第１吸入管（71）に液冷媒を全く供給せず、空調熱交換器（53）に対応する第２吸入管（72）のみに液冷媒をインジェクションしてもよい。その場合、容量制御部（102）は、冷蔵熱交換器（43）の冷却負荷に基づいて主圧縮機（11）を制御する。そして、容量制御部（102）により主圧縮機（11）の運転容量が変動しても、上記第１流量制御手段（101）は、第２流量調整弁（19）の開度調整を行うことにより上記空調熱交換器（53）に対応した第２吸入管（72）に供給する液冷媒の量を制御して、空調熱交換器（53）の蒸発温度を目標とする蒸発温度に維持する。これにより、各熱交換器（43,53）の蒸発温度を冷却負荷に対応した適切な蒸発温度とすることができる。
【０１４４】
その他の構成、作用及び効果は実施形態１と同じである。
【０１４５】
《発明の実施形態２》
本実施形態は、上記実施形態１が、冷房冷却運転時に、上記主圧縮機（11）の運転容量と吸入管（71,72）に供給する液冷媒量の制御を行うことにより、上記冷蔵熱交換器（43）及び上記空調熱交換器（53）の蒸発圧力を目標蒸発圧力としてことに代わり、上記主圧縮機（11）の運転容量と、冷蔵膨張機構（48）及び空調膨張弁（54）の冷媒流量とを制御することにより、上記冷蔵熱交換器（43）と上記空調熱交換器（53）の蒸発圧力を目標蒸発圧力とするものである。また、本実施形態においても、蒸発圧力を示す指標として蒸発温度を用いて制御を行う。
【０１４６】
具体的に、本実施形態の冷凍装置（1）では、図９に示すように、コントローラ（100）が、第１流量制御部（101）と容量制御部（102）と第２流量制御部（103）とを備えている。
【０１４７】
上記第２流量制御部（103）は、冷房冷却運転時に、冷蔵膨張機構（48）又は空調膨張弁（54）の冷媒流量を制御するものであり、第２流量制御手段に構成されている。また、本実施形態の第１流量制御部（101）は、冷房冷却運転時に、上記主圧縮機（11）の吐出冷媒の温度が上記所定の温度範囲内となるように、各吸入管（71,72）にインジェクションする液冷媒の量を制御するように構成されている。
【０１４８】
冷房冷却運転では、上記容量制御部（102）が、ショーケースの冷却負荷に応じて上記主圧縮機（11）及びブースタ圧縮機（31）の運転容量を制御する。つまり、上記容量制御部（102）は、上記冷蔵熱交換器（43）及び冷凍熱交換器（33）において、各熱交換器温度センサ（46,36）で測定される蒸発温度が、各ショーケースの設定温度より１０℃低い目標蒸発温度となるように、各圧縮機（11,31）の運転容量を制御する。
【０１４９】
この状態において、上記冷蔵熱交換器（43）の蒸発温度が目標蒸発温度となり、空調熱交換器（53）の蒸発温度が目標蒸発温度より高い場合、上記容量制御部（102）は、上記主圧縮機（11）の運転容量制御を、上記室内の冷房負荷に基づいた制御に切換える。つまり、上記容量制御部（102）は、上記空調熱交換器（53）において第１熱交換器温度センサ（56）で測定される蒸発温度が目標蒸発温度となるように、上記主圧縮機（11）の運転容量を増大させる。
【０１５０】
ここで、上記主圧縮機（11）の運転容量を増大させたことにより、この状態のままでは、冷蔵熱交換器（43）を流れる冷媒量が増加し、該冷蔵熱交換器（43）の蒸発温度が低下する。そこで、本発明の特徴として、上記第２流量制御部（103）は、冷蔵膨張機構（48）の上記第２電磁弁（SV-2）を開閉することにより、該冷蔵膨張機構（48）の冷媒流量が増大しないように制御する。これにより、上記主圧縮機（11）の運転容量を増大しても、冷蔵熱交換器（43）を流れる冷媒流量が増大しないので、冷蔵熱交換器（43）の蒸発温度は、目標蒸発温度のままで維持される。
【０１５１】
このようにして、主圧縮機（11）の運転容量が増大することから、空調熱交換器（53）では、蒸発温度が低下して目標蒸発温度となる一方、上記冷蔵熱交換器（43）では、蒸発温度は低下することなく目標蒸発温度に維持される。
【０１５２】
一方、上記空調熱交換器（53）の蒸発温度が目標蒸発温度となり、冷蔵熱交換器（43）の蒸発温度が目標蒸発温度より高い場合、上記容量制御部（102）は、上記主圧縮機（11）の運転容量制御を、上記空調熱交換器（53）の第２熱交換器温度センサ（46）で測定される蒸発温度が目標蒸発温度となるように、上記主圧縮機（11）の運転容量を増大させる。
【０１５３】
ここで、上記主圧縮機（11）の運転容量を増大させたことにより、この状態のままでは、空調熱交換器（53）を流れる冷媒量が増加し、該空調熱交換器（53）の蒸発温度が低下する。そこで、本発明の特徴として、上記第２流量制御部（103）は、空調膨張弁（54）の開度を小さくすることにより、該空調膨張弁（54）を流れる冷媒流量が増大しないように制御する。
【０１５４】
このようにして、主圧縮機（11）の運転容量が増大することから、冷蔵熱交換器（43）では、蒸発温度が低下して目標蒸発温度となる一方、上記空調熱交換器（53）では、蒸発温度が低下することなく目標蒸発温度に維持される。
【０１５５】
また、上記冷蔵熱交換器（43）の蒸発温度が目標蒸発温度となり、空調熱交換器（53）の蒸発温度が目標蒸発温度より低い場合、第２流量制御部（103）は、空調熱交換器（53）において第１熱交換器温度センサ（56）で測定される蒸発温度が目標蒸発温度となるように、上記空調膨張弁（54）の開度を小さくし、該空調膨張弁（54）の冷媒流量を低下させる。これにより、上記冷蔵熱交換器（43）の蒸発温度は目標蒸発温度に維持したままで、上記空調熱交換器（53）の蒸発温度のみを上昇させる。
【０１５６】
一方、上記冷蔵熱交換器（43）の蒸発温度が目標蒸発温度より低く、空調熱交換器（53）の蒸発温度が目標蒸発温度となった場合、上記第２流量制御部（103）は、冷蔵熱交換器（43）において第２熱交換器温度センサ（46）で測定される蒸発温度が目標蒸発温度となるように、第２電磁弁（SV-2）を開閉制御し、冷蔵膨張機構（48）の冷媒流量を低下させる。これにより、上記冷蔵熱交換器（43）の蒸発温度は目標蒸発温度まで上昇させることができる一方、上記空調熱交換器（53）の蒸発温度は目標蒸発温度に維持することができる。
【０１５７】
以上のようにして、上記容量制御部（102）と上記第２流量制御部（103）とにより、蒸発器として機能する空調熱交換器（53）と冷蔵熱交換器（43）の蒸発温度が個別に制御され、各熱交換器（53,43）において冷却負荷に対応した異温度蒸発を行うことができる。
【０１５８】
なお、上記第２流量制御部（103）が第２電磁弁（SV-2）を開閉制御する際は、冷蔵熱交換器（43）の出口は過熱度が上昇し（例えば、過熱度３０℃となり）、上記第２流量制御部（103）が空調膨張弁（54）の開度制御を行う際は、空調熱交換器（53）の出口は過熱度が上昇する（例えば、過熱度３０℃となる）。これにより、主圧縮機（11）の吐出冷媒の温度が上昇するので、第１流量制御部（101）は、第１流量調整弁（18）又は第２流量調整弁（19）の開度調整を適宜行って、吸入管（71,72）に液冷媒をインジェクションし、主圧縮機（11）の吐出管温度を低下させる。つまり、上記第１流量制御部（101）は、室内の冷房を優先させる場合は、第１流量調整弁（18）を全閉状態から開状態にして開度調整を行い、第１吸入管（71）に液冷媒がインジェクションされるようにし、ショーケースの冷却を優先させる場合は、第２流量調整弁（19）全閉状態から開状態にして開度調整を行い、第２吸入管（72）に液冷媒がインジェクションされるようにする。
【０１５９】
その他の構成、作用及び効果は実施形態１と同じである。
【０１６０】
《発明の実施形態３》
本実施形態は、上記実施形態１の各インジェクション通路が、各液インジェクション管（67,68）であったことに代わり、図１０に示すように、各インジェクション通路を、主圧縮機（11）の吸入管（71,72）に該主圧縮機（11）の吐出ガス冷媒をインジェクションする第１ガスインジェクション管（98）及び第２ガスインジェクション間（99）としたものである。
【０１６１】
上記各ガスインジェクション管（98,99）は、ガスインジェクション主管（25）と第１及び第２のガスインジェクション分岐管（26,27）とから構成されている。
【０１６２】
具体的に、上記ガスインジェクション主管（25）は、一端が主圧縮機（11）の吐出管（74）に接続され、他端が上記第１ガスインジェクション分岐管（26）の一端と第２ガスインジェクション分岐管（27）の一端とに分岐接続されている。また、上記第１ガスインジェクション分岐管（26）は、他端が上記第１吸入管（71）に接続されると共に、途中に第３流量調整弁（28）が設けられ、上記第２ガスインジェクション分岐管（27）は、上記第２吸入管（72）に接続されると共に、途中に第４流量調整弁（29）が設けられている。上記第３及び第４の各流量調整弁（28,29）は、開度調整自在な電子膨張弁で構成されている。
【０１６３】
このような構成により、第１及び第２ガスインジェクション管（98,99）のそれぞれは、高圧の吐出冷媒を、各吸入管（71,72）に供給量可変に供給するように構成されている。
【０１６４】
冷房冷却運転では、上記容量制御部（102）が、主圧縮機（11）及びブースタ圧縮機（31）の運転容量を、冷蔵及び冷凍ショーケースの冷却負荷に応じて制御する。
【０１６５】
この状態において、上記冷蔵熱交換器（43）の蒸発温度が目標蒸発温度となり、空調熱交換器（53）の蒸発温度が目標蒸発温度より高い場合、上記容量制御部（102）は、上記主圧縮機（11）の運転容量制御を、上記室内の冷房負荷に基づいた制御に切換え、上記空調熱交換器（53）において第１熱交換器温度センサ（56）で測定される蒸発温度が目標蒸発温度となるように、上記主圧縮機（11）の運転容量を増大させる。
【０１６６】
ここで、上記主圧縮機（11）の運転容量を増大させたことにより、この状態のままでは、冷蔵熱交換器（43）の蒸発温度も低下し、ショーケースが過度に冷却される。そこで、本発明の特徴として、上記第１流量制御部（101）が、冷蔵熱交換器（43）において第２熱交換器温度センサ（46）で測定される蒸発温度が目標蒸発温度となるように、上記第３流量調整弁（28）を全閉状態から開状態にして開度調整を行い、図１０の破線矢印（c）に示すように、吐出管（74）から第１吸入管（71）にインジェクションされるガス冷媒の量を適宜制御する。また、第１流量制御部（101）は、第４流量調整弁（29）を常時全閉状態に設定する。
【０１６７】
このようにして、主圧縮機（11）の運転容量が増大することから、空調熱交換器（53）の蒸発温度が低下して目標蒸発温度となる一方、上記冷蔵熱交換器（43）の蒸発温度は低下することなく目標蒸発温度に維持される。
【０１６８】
一方、上記空調熱交換器（53）の蒸発温度が目標蒸発温度となり、冷蔵熱交換器（43）の蒸発温度が目標蒸発温度より高い場合、上記容量制御部（102）は、上記冷蔵熱交換器（43）における第２熱交換器温度センサ（46）の測定値が目標蒸発温度となるように、上記主圧縮機（11）の運転容量制御を増大させる。
【０１６９】
ここで、上記主圧縮機（11）の運転容量を増大させたことにより、この状態のままでは、空調熱交換器（53）の蒸発温度も低下し、室内が過度に冷却される。そこで、本発明の特徴として、上記第１流量制御部（101）が、空調熱交換器（53）において第１熱交換器温度センサ（56）で測定される蒸発温度が目標蒸発温度となるように、上記第４流量調整弁（29）を全閉状態から開状態にして開度調整を行い、図１０の破線矢印（d）に示すように、吐出管（74）から第２吸入管（72）にインジェクションされるガス冷媒の量を適宜制御する。また、第１流量制御部（101）は、第３流量調整弁（28）を常時全閉状態に設定する。
【０１７０】
このようにして、主圧縮機（11）の運転容量が増大することから、冷蔵熱交換器（43）の蒸発温度が低下して目標蒸発温度となる一方、上記空調熱交換器（53）の蒸発温度は低下することなく目標蒸発温度に維持される。
【０１７１】
また、上記冷蔵熱交換器（43）の蒸発温度が目標蒸発温度となり、空調熱交換器（53）の蒸発温度が目標蒸発温度より低い場合、第１流量制御部（101）は、空調熱交換器（53）において第１熱交換器温度センサ（56）で測定される蒸発温度が目標蒸発温度となるように、上記第４流量調整弁（29）を全閉状態から開状態して開度調整を行い、図１０の破線矢印（d）に示すように、第２吸入管（72）にインジェクションされるガス冷媒の量を調節する。これにより、上記冷蔵熱交換器（43）の蒸発温度は目標蒸発温度に維持したままで、上記空調熱交換器（53）の蒸発温度のみを上昇させる。
【０１７２】
一方、上記冷蔵熱交換器（43）の蒸発温度が目標蒸発温度より低く、空調熱交換器（53）の蒸発温度が目標蒸発温度となった場合、上記第１流量制御部（101）は、冷蔵熱交換器（43）において第２熱交換器温度センサ（46）で測定される蒸発温度が目標蒸発温度となるように、上記第３流量調整弁（28）を全閉状態から開状態して開度調整を行い、図１０の破線矢印（c）に示すように、第１吸入管（71）にインジェクションされるガス冷媒の量を調節する。これにより、上記冷蔵熱交換器（43）の蒸発温度は目標蒸発温度まで上昇させることができる一方、上記空調熱交換器（53）の蒸発温度は目標蒸発温度に維持することができる。
【０１７３】
以上のようにして、上記容量制御部（102）と上記第１流量制御部（101）とにより、蒸発器として機能する空調熱交換器（53）と冷蔵熱交換器（43）の蒸発温度が個別に制御され、各熱交換器（53,43）において冷却負荷に対応した異温度蒸発を行うことができる。
【０１７４】
その他の作用、構成及び効果は、実施形態１と同じである。
【０１７５】
《その他の実施形態》
上記実施形態については、以下のような構成としてもよい。
【０１７６】
上記各実施形態の冷凍装置（1）は、複数の運転モードを有していたが、複数の運転モードを有していない構成であってもよく、冷房冷却運転を行う構成であればよい。つまり、冷蔵熱交換器（43）と空調熱交換器（53）とが、主圧縮機（11）に対して並列接続され且つ蒸発圧力が異なる複数台の蒸発器となる構成であればよく、運転モードの切換えのための切換弁（15,16）などを有さない構成であってもよい。さらに、冷凍熱交換器（33）やブースタ圧縮機（31）を備えない構成であってもよい。また、複数の蒸発器（43,53）は、室内の冷房とショーケースの冷却とを行う熱交換器（43,53）でなくてもよく、何れも庫内の冷却用の熱交換器であってもよいし、何れも室内の冷房を行う熱交換器であってもよい。また、複数の蒸発器（43,53）は、２台でなく、３台以上であってもよい。
【０１７７】
また、上記実施形態１及び３では、上記第１流量制御部（101）が、流量調整弁（18,19,28,29）を通常は全閉状態とし、冷蔵及び空調の各熱交換器（43,53）の蒸発温度が目標蒸発温度より低い場合に、流量調整弁（18,19,28,29）を開状態として開度調整を行ったが、例えば、各流量調整弁（18,19,28,29）は、常時開状態になっており、各熱交換器（43,53）の蒸発温度が目標蒸発温度より高い場合に、流量調整弁（18,19,28,29）の開度を小さくして、吸入管（71,72）にインジェクションされる冷媒量を少なくなるようにしてもよい。
【０１７８】
また、上記実施形態１の冷凍装置（1）は、液インジェクション管（67,68）を備え、上記実施形態３の冷凍装置（1）は、ガスインジェクション管（98,99）を備える構成としたが、液インジェクション管（67,68）とガスインジェクション管（98,99）とを共に備える構成であってもよい。この場合、運転状況に応じて、適宜何れのインジェクション管（67,68,98,99）から高圧冷媒をインジェクションするかを選択するようにしてもよい。
【０１７９】
また、上記実施形態３のガスインジェクション管を備えた構成において、上記実施形態１の変形例のように、主圧縮機（11）の各吸入ポート（11a,11b）の吸入圧力を同じ圧力としてもよい。その場合であっても、上記実施形態１の変形例と同様の制御を行うことにより、冷蔵及び空調の各熱交換器（43,53）の蒸発温度を確実に目標蒸発温度とすることができる。
【０１８０】
また、上記実施形態２では、上記第２流量制御部（103）が、冷蔵及び空調の各熱交換器（43,53）の蒸発温度が低い場合（上昇させるために）、各膨張機構（48,54）の冷媒流量を小さくするように制御したが、冷蔵及び空調の各熱交換器（43,53）の蒸発温度が高い場合（低下させるために）、各膨張機構（48,54）の冷媒流量を大きくするように制御してもよい。
【０１８１】
また、上記各実施形態において、膨張機構（48,54）は、何れも電子膨張弁であってもよいし、感温式膨張弁と電磁弁とから構成されていてもよい。
【０１８２】
また、上記実施形態１，２及び３では、主圧縮機（11）が、低圧ポート（11a）と中間圧ポート（11b）とを備えていたが、第１の発明では、変形例に記載したように、同じ吸入圧力の吸入ポート（11a,11b）を備えていても良いし、さらには、別々の圧縮室に通じる吸入圧力が異なる吸入ポート（11a,11b）を備えるようにしても良い。また、第５の発明では、吸入ポート（11a,11b）の吸入圧力が異なれば良く、別々の圧縮室に通じる吸入圧力が異なる吸入ポート（11a,11b）を備えるようにしても良い。つまり、別々の圧縮室に通じる吸入ポート（11a,11b）とは、例えば、上下二段に重なるシリンダ室を備えたロータリー圧縮機等であり、各シリンダ室が互いに通じておらず、それぞれのシリンダ室に各吸入ポート（11a,11b）が接続されて、各シリンダ室で個別に冷媒の圧縮を行うような構成されたものが例示される。
【０１８３】
また、上記実施形態１では、ショーケースの冷却と室内の暖房とを行う際に、容量制御部（102）が主圧縮機（11）の運転容量を上記冷蔵熱交換器（43）及び冷凍熱交換器（33）に基づいて制御したが、室内の暖房負荷に基づいて制御するようにしてもよい。また、上記容量制御部（102）は、室内の暖房負荷に応じた制御を行う際に、上記実施形態１の暖房運転のように、空調熱交換器（53）の凝縮温度を目標凝縮温度とする制御に代わって、空調熱交換器（53）の凝縮圧力が目標凝縮圧力（例えば、１．９ＭＰａより高く、２．４ＭＰａより低い圧力）となるように上記主圧縮機（11）の運転容量を制御してもよいし、空調ユニット（5）から吹き出される空気温度が目標吹き出し温度（例えば、室内の設定温度から５〜１０℃高い温度）となるように制御をしてもよい。
【０１８４】
また、上記各実施形態では、冷房冷却運転時に、蒸発圧力に基づく制御として、冷蔵熱交換器（43）及び空調熱交換器（53）の蒸発温度に基づいて、圧力相当飽和温度の制御を行ったが、例えば、各吸入管（71,72）の吸入圧力センサ（97,93）の測定値を蒸発圧力として測定したり、熱交換器（43,53）の蒸発圧力を測定するセンサを設けて蒸発圧力を測定したりすることにより、この蒸発圧力を直接目標蒸発圧力になるように制御を行ってもよい。
【０１８５】
なお、以上の実施形態は、本質的に好ましい例示であって、本発明、その適用物、あるいはその用途の範囲を制限することを意図するものではない。
【産業上の利用可能性】
【０１８６】
以上説明したように、本発明は、１台の圧縮機に対して蒸発圧力が異なる複数の蒸発器が接続された冷凍装置について有用である。
【図面の簡単な説明】
【０１８７】
【図１】実施形態１に係る冷凍装置の冷媒回路の配管系統図である。。
【図２】実施形態１に係る暖房運転時の冷媒の流れを示す配管系統図である。
【図３】実施形態１に係る第１暖房冷却運転時の冷媒の流れを示す配管系統図である。
【図４】実施形態１に係る第２暖房運転時の冷媒の流れを示す配管系統図である。
【図５】実施形態１に係る第３暖房運転時の冷媒の流れを示す配管系統図である。
【図６】実施形態１に係る冷房運転時の冷媒の流れを示す配管系統図である。
【図７】実施形態１に係る冷房冷却運転時の冷媒の流れを示す配管系統図である。
【図８】実施形態１に係る冷却運転時の冷媒の流れを示す配管系統図である。
【図９】実施形態２に係る冷凍装置の冷房冷却運転時の冷媒の流れを示す配管系統図である。
【図１０】実施形態３に係る冷凍装置の冷房冷却運転時の冷媒の流れを示す配管系統図である。
【符号の説明】
【０１８８】
1    冷凍装置
10    冷媒回路
11    主圧縮機（圧縮機）
11a   低圧ポート（吸入ポート）
11b   中間圧ポート（吸入ポート）
43    冷蔵熱交換器（蒸発器）
48    冷蔵膨張機構（膨張機構）
54    空調膨張弁（膨張機構）
53    空調熱交換器（蒸発器）
67    第１液インジェクション管（インジェクション通路）
68    第２液インジェクション管（インジェクション通路）
71    第１吸入管（吸入管）
72    第２吸入管（吸入管）
74    吐出管
82    液配管
98    第１ガスインジェクション管（インジェクション通路）
99    第２ガスインジェクション管（インジェクション通路）
101    第１流量制御部（第１流量制御手段）
102    容量制御部（容量制御手段）
103    第２流量制御部（第２流量制御手段）
【図１】
2008002711.tif 000003
【図２】
2008002711.tif 000004
【図３】
2008002711.tif 000005
【図４】
2008002711.tif 000006
【図５】
2008002711.tif 000007
【図６】
2008002711.tif 000008
【図７】
2008002711.tif 000009
【図８】
2008002711.tif 000010
【図９】
2008002711.tif 000011
【図１０】
2008002711.tif 000012